【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
共有チャネルの複数のユーザからのチャネル情報を受信するユーザフィードバック受信機と、
前記共有チャネルのデータを生成する下りリンク共有チャネル発生器と、
受信された前記チャネル情報を使用して前記共有チャネルの各々のビームのための電力レベルを決定する電力制御装置と、
受信された前記チャネル情報を使用して前記共有チャネルのビームを決定するビーム偏向制御装置と、
決定された前記電力レベルによって、前記ビームの上を、同時に前記共有チャネルを送信するアンテナアレイと
を備えたことを特徴とするノード−Ｂ。
【請求項２】
前記チャネル情報は、前記複数のユーザの各々からのパスロス評価値を含むことを特徴とする請求項１に記載のノード−Ｂ。
【請求項３】
前記チャネル情報は、前記複数のユーザの各々からのアウターループパワーコマンドを含むことを特徴とする請求項１に記載のノード−Ｂ。
【請求項４】
前記チャネル情報は、前記複数のユーザの各々からのインナーループパワーコマンドを含むことを特徴とする請求項１に記載のノード−Ｂ。
【請求項５】
前記チャネル情報は、前記複数のユーザの各々からの位置を含むことを特徴とする請求項１に記載のノード−Ｂ。
【請求項６】
各々のビームの前記電力レベルを、前記チャネル品質情報に基づいて、最悪のチャネル品質を有するユーザに対する受信電力レベルに設定することを特徴とする請求項１に記載のノード−Ｂ。
【請求項７】
複数の制御チャネルの各々が、同時に送られるサービス送信表示を有している前記複数の制御チャネルを生成する複数の制御チャネル発生器と、
送信チャネル品質の測定および情報を受信する測定受信機と、
受信した前記送信チャネル品質の測定および情報を使用して、共有チャネルの送信電力を決定する電力制御装置と、
前記共有チャネルのデータを生成する共有チャネルデータ発生器と、
決定された前記送信電力レベルにて、生成された前記共有チャネルデータを送信するアンテナと
を備えたことを特徴とするノード−Ｂおよび無線ネットワークコントローラ。
【請求項８】
ポイント・ツー・ポイント（ＰｔＰ）及びポイント・ツー・マルチポイント（ＰｔＭ）サービスのデータを受信するために構成された入力と、
前記受信データを受信し、送信時間間隔（ＴＴＩ）ベースで、ＰｔＰおよびＰｔＭ送信として送信される前記データをスケジュールするスケジューリング機構であって、各々のＴＴＩの前記スケジュールは前記ＰｔＰおよびＰｔＭデータに対するサービス品質要求条件と前記ＰｔＰおよびＰｔＭ送信に関連するセルの電力要求条件を基礎としているスケジューリング機構と、
ユーザへの前記データスケジュールをシグナリングするシグナリング装置と
を備えたことを特徴とする無線ネットワークコントローラ。
【請求項９】
各々のＴＴＩに対する前記スケジュールは、関連する前記セルのユーザのビーム偏向情報も基礎とすることを特徴とする請求項８に記載の無線ネットワークコントローラ。
【請求項１０】
前記サービス品質要求条件は、データ遅延要求条件を含むことを特徴とする請求項８に記載の無線ネットワークコントローラ。
【請求項１１】
前記スケジューリング機構は、ＰｔＭ送信データをＰｔＰ送信として送ることができることを特徴とする請求項８に記載の無線ネットワークコントローラ。
【手続補正２】
【補正対象書類名】明細書
【補正対象項目名】００１１
【補正方法】変更
【補正の内容】
【００１１】
サービスデータは無線通信システムにおいて送信される。システムのセルの中の一群のユーザの受信のために、インジケータが同期して送信される。一群のユーザは、セルのすべてのユーザを含まない。一群のユーザの各々は、サービスインジケータを受信する。一群のユーザの各々は、下りリンク共有チャネル上を送信されるサービスＩＤをモニタする。サービスデータは、そのサービスＩＤとともに下りリンク共有チャネルを通じて送信される。一群のユーザの各々は、サービスＩＤを検知して、下りリンク共有チャネルのサービスデータを受信する。
【手続補正３】
【補正対象書類名】明細書
【補正対象項目名】００１３
【補正方法】変更
【補正の内容】
【００１３】
図２は、好ましい共有チャネル１６と関連付けられた下りリンク及び上りリンク専用制御チャネル１４１から１４Ｎを示した図である。この好ましい実施例においては、下りリンク及び上りリンク専用制御チャネルを使用しているが、これらのチャネル上を送られる情報は、他の実施例においては、他の手段によって、例えば、共通物理制御チャネルまたはレイヤー２／３信号によっても送ることが出来る。一群のユーザであるＵＥ１（１２１）・・ＵＥＪ（１２Ｊ）・・・ＵＥＮ（１２Ｎ）は、共有サービス１６を受けることが出来る。それぞれのユーザの下りリンク専用制御チャネル１４１−１４Ｎは、共有チャネルを確立し、他の制御目的のために使用される。共有チャネル１６は、基地局１０により送信され、一群のユーザＵＥ１（１２１）・・・ＵＥＮ（１２Ｎ）により受信される。ＵＥＸ（１２Ｘ）のようなユーザ装置（ＵＥ）は、専用制御チャネル１４Ｘの中で、共有チャネル割り当て表示を受信せず、共有チャネル１６のデータを受信しない。
【手続補正４】
【補正対象書類名】明細書
【補正対象項目名】００１４
【補正方法】変更
【補正の内容】
【００１４】
図３は、共有チャネルを通じて伝送データを使用する、ＲＣＮ２０／ＮＯＤＥ−Ｂ１８とユーザ装置群の中の一つのユーザ装置ＵＥＪ１２Ｊの単純化した図を示す。ＲＣＮ２０／ＮＯＤＥ−Ｂ１８において、各々の下りリンク専用制御チャネル（ＤＤＣＣ）発生器２４１−２４Ｎは、ユーザ装置１２１−１２Ｎそれぞれの制御チャネル信号を生成する。マルチポイント同期装置２５は、ユーザＤＤＣＣ上で共通したポイント・ツー・マルチポイントサービスに加入しているユーザグループの、ＤＳＣＨ割り当てを同期させるために使用される。ＵＥＪ１２Ｊについていえば、無線インタフェース２２を介してアンテナ３２またはアンテナアレイから専用制御チャネルが放射された後、ＵＥＪ１２Ｊのアンテナ３４またはアンテナアレイにより受信される。そして、制御チャネルの制御情報を再生するため制御チャネル受信機３６によって処理される。
【手続補正５】
【補正対象書類名】明細書
【補正対象項目名】００２２
【補正方法】変更
【補正の内容】
【００２２】
図５Ａ、図５Ｂ、図５Ｃ、図５Ｄ、図５Ｅは、ＰｔＭサービスに対する共有チャネルの可能な割り当て図である。あるＰｔＭユーザグループの各々のユーザのための専用制御チャネル１４１−１４Ｎにおいては、図５Ａに示したように、サービスを受信しているユーザ１からユーザＮは送信される情報を制御する。図５Ｂに示した３ＧＰＰのＦＤＤシステムのように、ユーザＴＴＩのスタートをずらすために使用される、チップオフセット「ＤＯＦＦ」がある。図５Ａと図５Ｂに示したように、ＰｔＭサービスユーザグループの中の各々のユーザに対しては、サービス送信インジケータ５０が専用制御情報と供に送られる。サービス送信インジケータ５０は、サービスデータがこれから共有チャネル１６上で送られることを示す。好ましいサービス送信インジケータ５０は、他のインジケータ例えばビットあるいはワードを使用することも出来るが、専用下りリンク制御チャネルバーストにおけるＴＦＣＩの第二の部分の存在である。ある設定時間の後、サービスデータが共有チャネル上を送信される。送信サービスデータは、好ましくはそのサービスに関連付けられたＩＤ５２を有している。このサービスＩＤ（ＳＩＤ）５２は、正しい受信者のグループが、その送信を受信していることを確認するために使用される。
【手続補正６】
【補正対象書類名】明細書
【補正対象項目名】００２４
【補正方法】変更
【補正の内容】
【００２４】
図５Ｅは、異なるシグナリングのアプローチを例示しており、複数のユーザグループ１からユーザグループＧが、一つのサービスを受信することができる。各々のユーザは、ＤＤＣＣ１４１１から１４ＧＮを有しており、ＰｔＭ送信を示す一つのＳＴＩを受信する。ＵＥ（ユーザ装置）グループ１からＵＥ（ユーザ装置）グループＧまでが、そのサービスを受信することが出来る。共有チャネルにおいて送信されるデータは、受信グループの各々に対しグループＩＤ（ＧＩＤ）５４１から５４Ｇを含んでいる。